【手続補正書】
【提出日】平成27年11月16日(2015.11.16)
【手続補正１】
【補正対象書類名】特許請求の範囲
【補正対象項目名】全文
【補正方法】変更
【補正の内容】
【特許請求の範囲】
【請求項１】
通信システムにおける端末と少なくとも一つの基地局との間に接続をサポートする前記端末の方法であって、
少なくとも一つのメンバー基地局が前記端末の接続に追加された後、セキュリティキーのための情報をマスター基地局から受信する過程と、
前記マスター基地局から獲得された前記セキュリティキーに対する前記情報に基づいて前記接続に含まれた前記少なくとも一つの基地局と通信する過程と、
前記接続に少なくとも２つの基地局の変更が存在する場合、前記マスター基地局から受信された新しいセキュリティキーに対する情報に基づいて、少なくとも一つのメンバー基地局と通信する過程とを含むことを特徴とする方法。
【請求項２】
前記少なくとも一つのメンバー基地局の前記新しいセキュリティキーは、前記新しいセキュリティキーに対する情報に基づいて導出されることを特徴とする請求項１に記載の方法。
【請求項３】
シードに基づいて認証キーを生成することにより、前記セキュリティキーを獲得する過程をさらに含み、
前記シードは、前記端末と認証及び課金サーバとの間に予め定められた規則によって選択された値であって、前記端末と認証手続を管理する認証部との間に予め定められた規則によって選択されるか、又は前記認証及び課金サーバ或いは前記認証部から受信されることを特徴とする請求項１に記載の方法。
【請求項４】
前記少なくとも一つのメンバー基地局のうち、削除されたメンバー基地局が存在する場合、前記認証及び課金サーバ或いは認証制御局と前記端末との間に予め定められた規則により、新しいシードを選択するか、又は前記認証サーバ或いは認証制御局から前記新しいシードを受信する過程と、
前記新しいシードを用いて新しい認証キーを生成する過程と、
前記新しい認証キーを用いて新しい暗号化キーを生成する過程と、をさらに含むことを特徴とする、請求項３に記載の方法。 
【請求項５】
前記認証キーを獲得する過程は、
前記認証キーを生成するシードを生成し、前記シードを前記マスター基地局に伝達する過程と、
前記シードを用いて前記認証キーを生成する過程をさらに含み、
前記少なくとも一つのメンバー基地局のうち、削除されたメンバー基地局が存在すると、新しいシードを生成する過程をさらに含むことを特徴とする、請求項３に記載の方法。
【請求項６】
通信システムにおける端末と少なくとも２つの基地局との間の接続をサポートするマスター基地局の方法であって、
前記端末の接続に追加された少なくとも一つのメンバー基地局を識別する過程と、
前記少なくとも一つのメンバー基地局と共に追加手続を実行する間、セキュリティキーに対する情報を前記少なくとも一つのメンバー基地局に送信する過程と、前記セキュリティキーに基づいて前記端末と通信する過程と、
前記接続で前記少なくとも２つの基地局の変更が存在する場合、前記少なくとも一つのメンバー基地局及び端末に新しいセキュリティキーに対する情報を送信する過程と、
を含むことを特徴とする方法。
【請求項７】
前記少なくとも一つのメンバー基地局の前記新しいセキュリティキーは、前記新しいセキュリティキーに対する情報に基づいて導出されることを特徴とする請求項５に記載の方法。
【請求項８】
認証手続を実行することによって認証キーを獲得する場合、前記認証キーに基づいて暗号化キーを生成する過程をさらに含み、
前記認証キーは、前記端末と前記認証手続を管理する認証サーバ或いは認証制御局とにより、シードに基づいて生成され、前記シードは、前記認証サーバ或いは前記認証制御局と前記端末との間に予め定められた規則により選択された値であるか、又は前記端末から受信した値であることを特徴とする、請求項７に記載の方法。
【請求項９】
前記端末のメンバー基地局のうち、削除されたメンバー基地局が存在する場合、前記認証制御局から新しい認証キーを受信する過程と、
前記新しい認証キーに基づいて新しい暗号化キーを生成し、前記新しい暗号化キーを前記削除されたメンバー基地局を除いた残りのメンバー基地局に伝達する過程とを含み、
前記新しい認証キーは、前記端末と認証サーバ或いは認証制御局とにより、新しいシードを用いて生成され、前記新しいシードは、前記認証サーバ或いは前記認証制御局と前記端末との間に、予め定められた規則により、前記シードと異なって選択された値であるか、又は前記端末から新しく生成された値であることを特徴とする、請求項６に記載の方法。
【請求項１０】
通信システムにおける少なくとも２つの基地局と端末との接続をサポートするメンバー基地局の方法であって、
マスター基地局から前記端末の接続に追加要請を受信する過程と、
前記マスター基地局と共に前記接続に含まれた接続に追加手続を実行する間、前記マスター基地局から獲得されたセキュリティキーに対する情報に基づいて前記端末と通信する過程と、
前記接続で前記少なくとも２つの基地局の変更が存在すると、前記マスター基地局から新しいセキュリティキーに対する情報を受信する過程と、
前記セキュリティキーと前記新しいセキュリティキーは、前記端末と前記マスター基地局との間の通信に使用されることを特徴とする方法。
【請求項１１】
前記メンバー基地局の新しいセキュリティキーは、前記新しいセキュリティキーに対する情報に基づいて生成されることを特徴とする請求項１０に記載の方法。
【請求項１２】
前記マスター基地局から前記端末が生成したシードを受信した場合、前記シードを用いて認証キーを生成する過程を含み、
前記端末と接続されたメンバー基地局のうち、削除されたメンバー基地局が存在すると、前記端末が生成した新しいシード値が受信されることを特徴とする、請求項１０に記載の方法。
【請求項１３】
通信システムにおける端末と少なくとも一つの基地局との間に接続をサポートする前記端末であって、
少なくとも一つのメンバー基地局が前記端末の接続に追加された後、セキュリティキーのための情報をマスター基地局から受信する送受信部と、
前記マスター基地局から獲得された前記セキュリティキーに対する前記情報に基づいて前記接続に含まれた前記少なくとも一つの基地局と通信し、前記接続に少なくとも２つの基地局の変更が存在する場合、前記マスター基地局から受信された新しいセキュリティキーに対する情報に基づいて、少なくとも一つのメンバー基地局と通信するように前記送受信部を制御する制御部と、を含むことを特徴とする端末。
【請求項１４】
前記少なくとも一つのメンバー基地局の前記新しいセキュリティキーは、前記新しいセキュリティキーに対する情報に基づいて導出されることを特徴とする請求項１３に記載の端末。
【請求項１５】
前記制御部は、シードに基づいて認証キーを生成することにより、前記セキュリティキーを獲得し、
前記シードは、前記端末と認証及び課金サーバとの間に予め定められた規則によって選択された値であって、前記端末と認証手続を管理する認証部との間に予め定められた規則によって選択されるか、又は前記認証及び課金サーバ或いは前記認証部から受信されることを特徴とする請求項１３に記載の端末。
【請求項１６】
前記少なくとも一つのメンバー基地局のうち、削除されたメンバー基地局が存在する場合、前記送受信部は、前記認証及び課金サーバ或いは認証制御局と前記端末との間に予め定められた規則により新しいシードを選択するか、又は前記認証サーバ或いは認証制御局から前記新しいシードを受信し、
前記制御部は、前記新しいシードを用いて新しい認証キーを生成し、前記新しい認証キーを用いて新しい暗号化キーを生成することを特徴とする、請求項１５に記載の端末。
【請求項１７】
前記制御部は、前記認証キーを生成するシードを生成し、前記シードを前記マスター基地局に伝達するように前記送受信部を制御し、
前記シードを用いて前記認証キーを生成し、前記少なくとも一つのメンバー基地局のうち、削除されたメンバー基地局が存在すると、新しいシードを生成することを特徴とする請求項１５に記載の端末。
【請求項１８】
通信システムにおける端末と少なくとも２つの基地局との間の接続をサポートするマスター基地局であって、
前記端末の接続に追加された少なくとも一つのメンバー基地局を識別する制御部と、
前記制御部の指示によって、前記少なくとも一つのメンバー基地局と共に追加手続を実行する間、セキュリティキーに対する情報を前記少なくとも一つのメンバー基地局に送信し、前記セキュリティキーに基づいて前記端末と通信し、前記接続で前記少なくとも２つの基地局の変更が存在する場合、前記少なくとも一つのメンバー基地局及び端末に新しいセキュリティキーに対する情報を送信する送受信部と、を含むことを特徴とするマスター基地局。
【請求項１９】
前記少なくとも一つのメンバー基地局の前記新しいセキュリティキーは、前記新しいセキュリティキーに対する情報に基づいて導出されることを特徴とする請求項１８に記載のマスター基地局。
【請求項２０】
認証手続を実行することによって獲得された前記端末に対する認証キーを獲得する場合、前記制御部は、前記認証キーに基づいて暗号化キーを生成し、
前記認証キーは、前記端末と前記認証手続を管理する認証サーバ或いは認証制御局とにより、シードに基づいて生成され、前記シードは、前記認証サーバ或いは前記認証制御局と前記端末との間に予め定められた規則により選択された値であるか、又は前記端末から受信した値であることを特徴とする、請求項１９に記載のマスター基地局。
【請求項２１】
前記端末のメンバー基地局のうち、削除されたメンバー基地局が存在する場合、前記送受信部は、前記認証制御局から新しい認証キーを受信し、
前記制御部は、前記新しい認証キーに基づいて新しい暗号化キーを生成し、前記新しい暗号化キーを前記削除されたメンバー基地局を除いた残りのメンバー基地局に伝達するように前記送受信部を制御し、
前記新しい認証キーは、前記端末と認証サーバ或いは認証制御局とにより、新しいシードを用いて生成され、前記新しいシードは、前記認証サーバ或いは前記認証制御局と前記端末との間に、予め定められた規則により、前記シードと異なって選択された値であるか、又は前記端末から新しく生成された値であることを特徴とする、請求項２０に記載のマスター基地局。
【請求項２２】
通信システムにおける少なくとも２つの基地局と端末との接続をサポートするメンバー基地局であって、
マスター基地局から前記端末の接続に追加要請を受信し、前記マスター基地局と共に前記接続に含まれた接続に追加手続を実行する間、前記マスター基地局から獲得されたセキュリティキーに対する情報に基づいて前記端末と通信するように送受信部を制御し、
前記接続で前記少なくとも２つの基地局の変更が存在すると、前記マスター基地局から新しいセキュリティキーに対する情報を受信する送受信部と、
前記セキュリティキーと前記新しいセキュリティキーは、前記端末と前記マスター基地局との間の通信に使用されることを特徴とするメンバー基地局。
【請求項２３】
前記メンバー基地局の新しいセキュリティキーは、前記新しいセキュリティキーに対する情報に基づいて生成されることを特徴とする請求項２２に記載のメンバー基地局。
【請求項２４】
前記送受信部を通して前記マスター基地局から前記端末が生成したシードを受信した場合、前記制御部は、前記シードを用いて認証キーを生成し、
前記端末と接続されたメンバー基地局のうち、削除されたメンバー基地局が存在すると、前記送受信部を通して前記端末が生成した新しいシード値が受信されることを特徴とする請求項２２に記載のメンバー基地局。